(57)【要約】【課題】灰皿を使用しない場合には灰皿をカバー部材で覆うことにより、灰皿を灰皿の機能として使用しないことができるようにして、再販価格の低下や余計な灰皿の清掃作業が発生するのを防止することができる低コストな遊技機の灰皿装置および灰皿装置を備えた遊技機を提供する。【解決手段】遊技機の灰皿装置３０であって、前記灰皿装置３０は、灰皿本体３１と、前記灰皿本体３１を閉塞する位置と前記灰皿本体を解放する位置との間を移動するカバー部材４０とを備える。【選択図】　　　　　図１
2004033078.tif 000002
【特許請求の範囲】
【請求項１】
遊技機の灰皿装置であって、前記灰皿装置は、灰皿本体と、前記灰皿本体を閉塞する位置と前記灰皿本体を解放する位置との間を移動するカバー部材とを備えることを特徴とする遊技機の灰皿装置。
【請求項２】
前記灰皿本体にガイド溝を設け、前記カバー部材に前記ガイド溝と係合するレール部材を設け、前記カバー部材が前記灰皿本体を閉塞する位置と前記灰皿本体を解放する位置との間をスライドすることを特徴とする請求項１記載の遊技機の灰皿装置。
【請求項３】
前記灰皿本体が耐熱性樹脂からなることを特徴とする請求項１または２記載の遊技機の灰皿装置。
【請求項４】
前記カバー部材は磁性体を備えることを特徴とする請求項１〜３何れかに記載の遊技機の灰皿装置。
【請求項５】
灰皿装置を備えた遊技機であって、前記灰皿装置は、灰皿本体と、前記灰皿本体を閉塞する位置と前記灰皿本体を解放する位置との間を移動するカバー部材とを備えることを特徴とする遊技機。
【発明の詳細な説明】
【０００１】
【発明の属する技術分野】
本発明は、遊技機の灰皿装置および灰皿装置を備えた遊技機に関し、より詳しくは、灰皿の使用および未使用を選択することができる遊技機の灰皿装置および灰皿装置を備えた遊技機に関する。
【０００２】
【従来の技術】
パチンコ遊技機や回動遊技機（所謂、パチスロ機）等の遊技機にあっては、遊技中に喫煙者が使用するための灰皿が遊技機本体に備え付けられている。ところで、ホールによっては遊技機本体に備え付けられた灰皿の使用を禁じているところもあり、このようなホールでは、遊技機本体とは別体の一般の灰皿を用意し、この灰皿を遊技者に使用してもらうようになっている。
【０００３】
このような一般の灰皿を用いる理由としては、灰皿の掃除の簡素化を図ることや、備え付けの灰皿が使用されていた遊技機を一定期間使用した後に再販売する際に、灰皿が損傷、汚れている分だけ、灰皿が使用されていない遊技機に対して価格が低下してしまうので、価格が低下するのを防止する等の理由が挙げられる。
【０００４】
また、その他の理由として、備え付けの灰皿がネジ等によって遊技機本体に強固に固定されているため、その取付け取外しにドライバー等の治具が必要になり、容易に交換できないことや灰皿のみの部品が通常販売されていないため、灰皿部分のみを新品と交換できないことも挙げられる。
【０００５】
以下、図９、図１０に基づいて従来の灰皿を備えた遊技機を説明する。
【０００６】
図９、図１０において、パチンコ遊技機の本体１の下部には下皿ベース２が突出しており、この下皿ベース２には凹状の下皿３が形成され、この下皿３には遊技盤４の遊技領域に到達しなかった遊技球が返球されたり、大当り時に上皿５に収容しきれない賞球が収容されるようになっている。
【０００７】
この下皿ベース２には平板６と一体的に設けられた球抜きレバー７が設けられており、この球抜きレバー７はスプリング８によって図１０（ａ）中、右方向に付勢されている。
【０００８】
また、下皿３の底面には開口部９が形成されており、球抜きレバー７は常時スプリング８によって図１０（ａ）中、右側に付勢されることにより、開口部９は平板６によって閉塞されている。
【０００９】
そして、球抜きレバー７を把持してスプリング８の付勢力に抗して図９中、左側に移動させると、平板６が開口部９を閉塞する位置から開放する位置に移動するようになっている。このとき、開口部９を通して下皿３に収容された遊技球が落下して、大当り時に図示しない千両箱に収容されるようになっている。
【００１０】
また、下皿３に隣接する下皿ベース２には灰皿１０が設けられており、この灰皿１０は上灰皿１１および下灰皿１２から構成されている。この上灰皿１１の底部にはネジ溝１１ａが設けられているとともに下灰皿１２には嵌合溝１２ａが設けられており、嵌合溝１２ａを通してネジ溝１１ａにネジ１３を螺合することより、上灰皿１１および下灰皿１２が連結されている。
【００１１】
このように灰皿１０が上灰皿１１および下灰皿１２に分割されているのは、上灰皿１１にタバコが置かれたり、高温の灰が収納されるため、上灰皿１１に高価な耐熱性樹脂を使用する必要があり、灰皿１０全体を耐熱性樹脂にすると全体的な価格が上昇してしまうため、下灰皿１２を安価なＡＢＳ樹脂等にすることで灰皿１０の全体の価格を低減させるためである。
【００１２】
【発明が解決しようとする課題】
しかしながら、このような従来の遊技機の灰皿装置にあっては、ホール側で灰皿を使用する必要がない場合でも、灰皿１０付きの遊技機を使用する必要があるため、一般の灰皿を使用するホールでも遊技者が誤って灰皿１０を使用してしまうおそれがあり、遊技機の再販価格が低下してしまう上に、一般の灰皿の清掃作業に加えて余計な清掃作業が発生してしまうという問題があった。
【００１３】
このような問題を解消するために、最初から灰皿のない遊技機を製造すれば良いのであるが、灰皿だけのために新たに金型を作成して遊技機を製造することになり、遊技機の製造コストが増大してしまうとともに、灰皿付きと灰皿なしの２種類の遊技機を管理することなり、管理コストや工数も増大してしまう。
【００１４】
本発明は、灰皿を使用しない場合には灰皿をカバー部材で覆うことにより、灰皿を灰皿の機能として使用しないことができるようにして、再販価格の低下や余計な灰皿の清掃作業が発生するのを防止することができる低コストな遊技機の灰皿装置および灰皿装置を備えた遊技機を提供することを目的としている。
【００１５】
【課題を解決するための手段】
本発明の遊技機の灰皿装置は、上記課題を解決するために、遊技機の灰皿装置であって、前記灰皿装置は、灰皿本体と、前記灰皿本体を閉塞する位置と前記灰皿本体を解放する位置との間を移動するカバー部材とを備えることを特徴としている。
【００１６】
このような構成により、灰皿を使用するときには、灰皿本体を解放する位置に移動し、灰皿を使用しないときには、カバー部材を灰皿本体を閉塞する位置に移動することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００１７】
また、本発明の遊技機の灰皿装置は、上記課題を解決するために、前記灰皿本体にガイド溝を設け、前記カバー部材に前記ガイド溝と係合するレール部材を設け、前記カバー部材が前記灰皿本体を閉塞する位置と前記灰皿本体を解放する位置との間をスライドすることを特徴としている。
【００１８】
このような構成により、灰皿を使用するときには、灰皿本体を解放する位置に移動し、灰皿を使用しないときには、カバー部材を灰皿本体を閉塞する位置に移動することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００１９】
また、本発明の遊技機の灰皿装置は、上記課題を解決するために、前記灰皿本体が耐熱性樹脂からなることを特徴としている。
【００２０】
このような構成により、タバコの熱に曝される部材のみを耐熱性樹脂とすればよいため、遊技機の灰皿装置全体の生産コストを削減することができる。
【００２１】
また、本発明の遊技機の灰皿装置は、上記課題を解決するために、前記カバー部材は磁性体を備えることを特徴としている。
【００２２】
このような構成により、遊技機の灰皿装置を灰皿として使用せず一般の灰皿を使用するホールにおいて、カバー部材にライターの金属部分等を固着しておけば、喫煙者がライターを分かり易く、かつ、取り出し易い場所に置いておくことができる。
【００２３】
また、本発明の灰皿装置を備えた遊技機は、上記課題を解決するために、灰皿装置を備えた遊技機であって、前記灰皿装置は、灰皿本体と、前記灰皿本体を閉塞する位置と前記灰皿本体を解放する位置との間を移動するカバー部材とを備えることを特徴としている。
【００２４】
このような構成により、灰皿を使用するときには、灰皿本体を解放する位置に移動し、灰皿を使用しないときには、カバー部材を灰皿本体を閉塞する位置に移動することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００２５】
【発明の実施の形態】
以下、本発明の好ましい実施形態を図面に基づいて説明する。
【００２６】
図１〜図４は本発明に係る遊技機の灰皿装置および灰皿装置を備えた遊技機の一実施の形態を示す図であり、遊技機としてパチンコ遊技機を例にしている。
【００２７】
まず構成を説明する。図１において、パチンコ遊技機の本体２１の下部には下皿ベース２２が突出しており、この下皿ベース２２には凹状の下皿２３が形成され、この下皿２３には遊技盤２４の遊技領域に到達しなかった遊技球が返球されたり、大当り時に上皿２５に収容しきれない賞球が収容されるようになっている。
【００２８】
また、下皿ベース２２の右側には遊技者によって回動操作されるハンドル２６が設けられており、ハンドル２６の操作量に応じて図示しない球発射装置が作動し、遊技盤２４の遊技領域に順次遊技球が発射されるようになっている。
【００２９】
また、図２に示されるように、下皿ベース２２には平板２７と一体的に設けられた球抜きレバー２８が設けられており、この球抜きレバー２８はスプリング２９によって図２中、右方向に付勢されている。
【００３０】
また、下皿２３の底面には開口部２６が形成されており、球抜きレバー２８を把持してスプリング２９の付勢力に抗して図２中、左側に移動させると、平板２７が開口部２６を閉塞する位置から解放する位置に移動し、この開口部２６を通して下皿２３に収容された遊技球が落下して図示しない千両箱に収容されるようになっている。
【００３１】
また、下皿２３に隣接する下皿ベース２２には灰皿装置３０が取り付けられており、この灰皿装置３０の灰皿本体３１はタバコの灰に直接接する上灰皿およびこの上灰皿の下部に接続される下灰皿の２つの部材から構成されている。上灰皿はフェノール系樹脂等の耐熱性樹脂から構成され、下灰皿はＡＢＳ樹脂等の耐熱性を有しない樹脂から構成されるとともに後述する収納部３３の突起部３３ａと嵌合する図示しない溝部が設けられている。そして、上灰皿の底部には図示しないネジ溝が設けられているとともに下灰皿には図示しない嵌合溝が設けられて、この嵌合溝を通して図示しないネジ溝に図示しないネジを螺合することにより、上灰皿と下灰皿が連結されている。
【００３２】
また、灰皿本体３１は、下皿ベース２２の収納部３３に収納されるようになっており、上灰皿または下灰皿の両側部に形成された図示しない溝部が収納部３３に形成された突起部３３ａに嵌合することにより、灰皿本体３１がこの嵌合部を支点として回動自在になっている。このため、灰皿本体３１が回動して吸殻や灰を除去することができる。
【００３３】
また、灰皿装置３０には、灰皿本体３１の側部に灰皿本体３１を閉塞する位置と灰皿本体３１を解放する位置との間を移動するカバー部材４０を備えている。灰皿本体３１にはガイド溝４２が設けられており、カバー部材４０には図示しないガイドレールが設けられており、このガイドレールがガイド溝４２と係合してカバー部材４０がスライドするようになっている。このようにしてカバー部材４０は図１および図２に示すような灰皿本体３１を解放する位置と、図４に示すような灰皿本体３１を閉塞する位置との間をスライドするようになっている。
【００３４】
なお、カバー部材４０は磁性体から構成されており、ライター等の金属部を有する物品を固定することができるようになっている。
【００３５】
本実施形態では、灰皿装置３０を灰皿として使用しない場合には、カバー部材４０に設けた取っ手４１を把持してカバー部材４０を矢印Ａの方向にスライドさせることにより、カバー部材４０によって灰皿本体３１を閉塞する（図４参照）。
【００３６】
また、灰皿装置３０を灰皿として使用する場合には、カバー部材４０を矢印Ａと反対方向にスライドさせることにより、灰皿本体３１を解放する（図１参照）。
【００３７】
このため、ホールや遊技者の要望に応じて灰皿装置３０を灰皿として使用したり、灰皿として使用しないことができる。このため、遊技機の再販価格の低下や余計な灰皿の清掃作業が発生するのを防止することができ、遊技機の製造コストを低減することができる。
【００３８】
また、本実施形態では、灰皿本体３１の上灰皿が耐熱性樹脂から構成されるため、タバコの熱を直接受ける部分である上灰皿のみに耐熱性を持たせる構成とすることにより、タバコの熱を直接受けない下灰皿には耐熱性樹脂と比較して安い材料を用いてコストを低減させることができるとともに、デザインの自由度の高い材料を下灰皿に用いることができる。
【００３９】
また、本実施形態では、灰皿本体３１が灰皿ベース２２の収納部３３に回動自在に取り付けられているため、灰皿本体３１を回動させることにより吸殻や灰を簡単に除去することができる。
【００４０】
また、本実施形態では、カバー部材４０を磁性体から構成したため、遊技機の灰皿装置を灰皿として使用せず一般の灰皿を使用するホールにおいて、カバー部材４０にライターの金属部分を固着しておけば、喫煙者がライターを分かりやすく、かつ、取り出し易い場所に置いておくことができる。
【００４１】
以上、本発明をパチンコ遊技機に適用した例を説明したが、本発明はパチスロ遊技機に適用しても良いことは勿論である。
【００４２】
以下、図５〜図７を用いて本発明をパチスロ遊技機に適用した例を示す。図５において、パチスロ遊技機の本体５１の下部には受け皿５２が設けられており、この受け皿５２の側部５３には本体５１に設けられた払い出し口５３から遊技媒体としてのコインが払い出されるようになっている。この受け皿５２の側部には灰皿装置６０が備え付けてあり、灰皿装置６０は、前述したパチンコ遊技機の例と同様に、灰皿本体６１とカバー部材７０とから構成されている。また、灰皿本体６１にはガイド溝７２が設けられ、カバー部材７０にはこのガイド溝７２に係合する図示しないガイドレールが設けられており、取っ手７１を把持することによってカバー部材７０は図５に示すような灰皿本体６１を解放する位置と図６に示すような灰皿本体６１を閉塞する位置との間を移動するようになっている。したがって、前述したパチンコ遊技機の灰皿装置の場合と同様に、ホールや遊技者の要望に応じて灰皿装置６０を灰皿として使用したり、灰皿として使用しないことができる。このため、遊技機の再販価格の低下や余計な灰皿の清掃作業が発生するのを防止することができ、遊技機の製造コストを低減することができる。
【００４３】
なお、図７に示す灰皿装置１００のように、カバー部材１０３が灰皿本体（図ではカバー部材１０３に隠れて見えない）を閉塞した状態で、灰皿本体の側部９３が露出するとともに灰皿本体の側部９３とカバー部材１０３の上面が概ね同一面になるようにしてもよい。この場合、飲料容器等の物品を、灰皿本体の側部９３およびカバー部材１０３の上面に置くことができ、図６で説明した灰皿装置６０と比較して飲料容器等の物品を載置する面積を広くすることができる。
【００４４】
また、パチスロ遊技機の灰皿装置６０、１００においても、前述したパチンコ遊技機の灰皿装置の場合と同様に、タバコの灰を取り出し易くするために灰皿本体６１が回動自在に設けられているだけでなく、カバー部材７０、１０３は磁性体から構成されている。また、灰皿本体６１は、パチンコ遊技機の灰皿装置の例と同様に、火を付けたタバコの熱に接する上灰皿と、上灰皿の下部に接続される下灰皿とから構成されている。
【００４５】
なお、前述の何れの例においても、ガイド溝とガイドレールの係合部は、例えば図８（ａ）または図（ｂ）に示すような断面を有している。すなわち、図８（ａ）に示すようにガイド溝２００とガイドレール２０１が略三角形の断面を有するようにしたり、図８（ｂ）に示すようにガイド溝３００とガイドレール３０１が略Ｔ字形状の断面を有するようにしている。
【００４６】
【発明の効果】
本発明によれば、灰皿を使用する場合には、本体部材に灰皿部材を装着し、灰皿を使用しない場合には、本体部材に脱着部材を装着することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【図面の簡単な説明】
【図１】本発明に係る遊技機の灰皿装置および灰皿装置を備えた遊技機の一実施形態を示す図であり、灰皿装置が取り付けられたパチンコ遊技機の外観図である。
【図２】一実施形態の下皿ベースの上面図であり、カバー部材が灰皿本体を解放した状態を示す。
【図３】一実施形態の下皿ベースの上面図であり、灰皿本体を取り外した状態を示す。
【図４】カバー部材により灰皿本体を閉塞した状態のパチンコ遊技機の外観図である。
【図５】一実施形態の灰皿装置の灰皿本体を解放した状態を示す図であり、灰皿装置をパチスロ遊技機に適用した例を示す。
【図６】一実施形態の灰皿装置の灰皿本体を閉塞した状態を示す図であり、灰皿装置をパチスロ遊技機に適用した例を示す。
【図７】一実施形態の灰皿装置の灰皿本体を解放した状態を示す図であり、灰皿装置をパチスロ遊技機に適用した他の例を示す。
【図８】（ａ）はガイド溝とガイドレールの係合部の一例を示す断面図、（ｂ）はその他の例を示す断面図である。
【図９】従来の灰皿を備えた遊技機の外観図である。
【図１０】（ａ）は従来の灰皿を備えた下皿ベースの上面図、（ｂ）はその下皿ベースの正面図である。
【符号の説明】
２１　　本体
２２　　下皿ベース
２３　　下皿
３０　　灰皿装置
３１　　灰皿本体
４０　　カバー部材
４２　　ガイド溝
【図１】
2004033078.tif 000003
【図２】
2004033078.tif 000004
【図３】
2004033078.tif 000005
【図４】
2004033078.tif 000006
【図５】
2004033078.tif 000007
【図６】
2004033078.tif 000008
【図７】
2004033078.tif 000009
【図８】
2004033078.tif 000010
【図９】
2004033078.tif 000011
【図１０】
2004033078.tif 000012